(57)【要約】  開口部（１７ａ）を有し、特に壁又は背壁に固定すべき組立レール（１７）を有する家具システム（１）の場合には、この開口部（１７ａ）に、保管要素（１８，１９）と接合する掛合部分（１８ｂ，１９ｂ）が掛合されている、又は掛合可能である。更に、２つの長手方向細幅部を有し、基本的に、垂直方向に延在し、組立レール（１７）に当接するか又は固定されている背壁（１３）を有する。その際、更に、少なくとも１つの、特に細長い形の背壁側部（１６）は、背壁（１３）の少なくとも１つの長手方向細幅部に対して平行に、特に両方の長手方向細幅部に対して平行に、配置されており、この背壁側部分（１６）は、組立レール（１７）に当接する、又は固定されている。背壁（１３）から背壁側部分（１６）への移行領域では、特に、背壁（１３）の長手方向細幅部と少なくとも１つの背壁側部（１６）の長手方向細幅部の間に空所部、特に間隙が形成され、この間隙は、組立レール（１７）の開口部（１７ａ）の少なくとも一部へのアクセスを可能にする。
2021529575.tif 000002
【特許請求の範囲】
【請求項１】
開口部（１７ａ）を有し、特に壁又は背壁に固定すべき組立レール（１７）を有する家具システム（１）であって、
この開口部（１７ａ）には、保管要素（１８，１９）と接合する掛合部分（１８ｂ，１９ｂ）が掛合されている、又は掛合可能であり、
２つの長手方向細幅部を有し、基本的に、垂直方向に延在し、組立レール（１７）に当接するか又は固定されている背壁（１３）有する当該家具システム（１）において、
更に、少なくとも１つの、特に細長い形の背壁側部（１６）は、
背壁（１３）の少なくとも１つの長手方向細幅部に対して平行に、特に両方の長手方向細幅部に対して平行に、配置されており、
この背壁側部分（１６）は、組立レール（１７）に当接する、又は固定され、
背壁（１３）から背壁側部分（１６）への移行領域には、背壁（１３）の長手方向細幅部と少なくとも１つの背壁側部（１６）の長手方向細幅部の間に空所部、特に間隙（２０）が形成され、
この間隙は、組立レール（１７）の開口部（１７ａ）の少なくとも一部へのアクセスを可能にすること、を特徴とする家具システム（１）。
【請求項２】
背壁（１３）及び少なくとも１つの背壁側部（１６）は、所々で接触するか、又は一体で実施されていること、を特徴とした請求項１に記載の家具システム（１）。
【請求項３】
背壁（１３）と１つ又は複数の背壁側部（１６）との間に形成されている１つ又は複数の空所部、特に１つ又は複数の間隙（２０）は、上から下へ連続的に形成され、及び組立レール（１７）のほぼ全ての開口部（１７ａ）へのアクセスを可能にすること、を特徴とした請求項１に記載の家具システム（１）。
【請求項４】
背壁（１３）と１つ又は複数の背壁側部（１６）との間に構成された１つ又は複数の間隙（２０）が、後方にある１つ又は複数の組立レール（１７）の開口部（１７ａ）と一列に並んでいること、を特徴とした請求項１〜３のいずれか一項に記載の家具システム（１）。
【請求項５】
各々の背壁側部（１６）は、背壁（１３）から離れて面する長手方向細幅部に固定部分（２１）を有し、この固定部分に、本体側部（１２，１１）を取り付けること、又は本体側部（１２，１１）が取り付けられていること、を特徴とした請求項１〜４のいずれか一項に記載の家具システム（１）。
【請求項６】
固定部分（２１）は、背壁側部（１６）の長手方向延在部に対して横に延在する孔部を有し、
この孔部には、固定要素、特に拡張ダボ及び／又は偏心ダボを収容することができる、又は固定要素、特に拡張ダボ及び／又は偏心ダボが収容されていること、を特徴とした請求項５に記載の家具システム（１）。
【請求項７】
背壁側部（１６）は、背壁（１３）の両方の長手方向側部の各々に配置され、
背壁（１３）から離れて面する、長手方向側部の長手方向細幅部には、本体側壁（１１，１２）が、それぞれ配置されている、及び／又は取り付けられていること、を特徴とした請求項１〜６のいずれか一項に記載の家具システム（１）。
【請求項８】
両方の本体側壁（１１，１２）は、
垂直方向に延在する方向での２つの本体側壁の上部領域において、本体上部部分（１４）と、及び垂直方向に延在する方向での２つの本体側壁の下部領域において、本体下部部分（１５）と、
接合されていること、を特徴とした請求項７に記載の家具システム（１）。
【請求項９】
両方の本体側壁（１１，１２）の間には、本体前部分（１０）が取り付けられていること、を特徴とした請求項７又は８に記載の家具システム（１）。
【請求項１０】
少なくとも１つの本体側壁（１１，１２）及び／又は本体前部分（１０）は、
ｉ）透明材料、特にガラスからなる、及び／又は、
ｉｉ）木材材料若しくは木材代替材料及び／又はプラスチック材料からなる、又はそれらを含むこと、を特徴とした請求項７〜９のいずれか一項に記載の家具システム（１）。
【請求項１１】
背壁及び／又は背壁側部（１６）は、木材材料又は木材代替材料、及び／又はプラスチック材料、及び／又は木材且つ石からなる複合材料からなるか、又はそれらを含むこと、を特徴とした請求項１〜１０のいずれか一項に記載の家具システム（１）。
【発明の詳細な説明】
【技術分野】
【０００１】
本発明は家具システムに関する。
【背景技術】
【０００２】
対応する家具システムは、通常は、垂直に延在する組立レールが使用されており、大部分は壁に固定され、その組立レールに保管棚又は引き出しが組み立てられることが知られている。この目的のために、組立レールは、通常、組立レールの長手方向に相前後に配置されている複数の開口部を有し、その開口部の中に、対応する棚又は他の構成要素を、そこにある掛合部分を介して掛合することができる。これにより、使用される組立レールの数に応じて、かなり大型で柔軟な保管棚システムが生じる。この様式の保管棚システムは広く普及されている。通常は、大きく解放された積込空間を提供することが欠点である。これは、一方では、このように構成されている家具壁システムに収納されている対象物が、自然に、ほこり又は汚れにさらされるので、多量のほこり又は汚れが発生する場合には不利である。他方では、開放的なデザイン、特に周囲の家具に合わせる必要がある場合には、すべての領域で望ましいわけではない。例えば、通常、家具の均一な前面デザインに価値が置かれているので、作り付けの台所の領域に当てはまる。
【発明の概要】
【発明が解決しようとする課題】
【０００３】
したがって、本発明の課題は、例えば、既存の状態に、外観上うまく作り付けることができるように家具システムをさらに発展させることである。
【課題を解決するための手段】
【０００４】
この課題は、請求項１の特徴を有する家具システムによって解決される。有利な実施形態は従属請求項で見られる。
【０００５】
本発明による家具システムは、穿孔された枠体及び棚を有する従来の掛合システムの可能性を拡張し、当業者は、任意で、組立レールに掛合された保管要素周りに本体壁部を構築するための機会がある。これにより、様々な家具前面部を利用することができ、その外観を周囲環境、特に台所環境に、個々に適合することができる。
【０００６】
この目的のために、本発明による家具システムは、好ましくは、しかし必ずしもそうである必要はないが、背壁又は壁に固定される、開口部を有する組立レールを有する。これには、保管要素と接合する掛合部分が掛合されるか、又は掛合可能である。本発明によれば、２つの長手方向細幅部を有し、基本的に、垂直方向に延在し、組立レールに当接するか又は固定されている背壁を有する家具システムである。後者は、最も単純な場合には、背壁の後部から壁に面したアングルピースによって行い得る。もちろん、背壁は、組立レールと直接螺着され得、又はそのほかの方法で接合され得る。
【０００７】
加えて、少なくとも１つの、特に細長い形の背壁側部は、少なくとも１つの長手方向細幅部に対して平行に、特に背壁の両方の長手方向細幅部に対して平行に、配置されている。背壁側部は、組立レールに当接する、又は固定されている。その際、背壁から背壁側部分への移行領域には、特に、背壁の長手方向細幅部と少なくとも１つの背壁側部の長手方向細幅部の間に空所部、特に間隙が形成されている。背壁自体と同様に、背壁側部も、アングル等の固定要素を用いて、壁に面した後側に取り付けることができる。背壁と背壁側部との間に形成された空所部、特に間隙が、組立レールの開口部の少なくとも一部分へのアクセスを可能にすることを、多機能の背壁によって可能にする。このような背壁構造によって、組立レールが覆われること、且つ周囲に合わせて背壁を構成することが可能である。
【０００８】
この際、この間隙は、連続的に背壁側部の長手方向延在部の全範囲にわたり、形成する必要はない。１つだけ又は少数の開口部にアクセス可能な間隙も同様に考えられる。好ましい実施形態では、背壁及び少なくとも１つの背壁側部は、所々で、特に空所部が配置されていない部分で、接触することができる。この場合、その上さらに、背壁と少なくとも１つの背壁側部とが一体で実施されていることも、可能である。これは、背面のより高い安定性につながる。
【０００９】
さらなる好ましい実施形態では、背壁と１つ又は複数の背壁側部との間に形成されている１つ又は複数の空所部、特に１つ又は複数の間隙は、上から下へ連続的に形成され、及び壁面組立枠部のほぼ全ての開口部へのアクセスを可能にする。
【００１０】
例えば、引き出し又はそのようなものの有無にかかわらず、保管棚面又は積込棚等の保管要素の掛合が、後でも（即ち、家具システムの設置後に）可能であるように、背壁と１つ又は複数の背壁側部との間に構成された１つ又は複数の間隙が、後方にある１つ又は複数の壁面組立枠部の開口部と一列に並んでいることが企図され得る。
【００１１】
本発明の特に好ましい実施形態によれば、各々の背壁側部は、背壁から離れて面する長手方向細幅部に固定部分を有し、この固定部分に、本体側部を取り付けること、又は本体側部が取り付けられていることが企図されている。これにより、背壁構造を周囲環境に適合させることができるだけでなく、家具本体全体を保管要素の周りに組み立てることができる。
【００１２】
この目的のために、特に、固定部分は、背壁側部の長手方向延在部に対して横に延在する孔部を有し、この孔部には、固定要素、特に拡張ダボ及び／又は偏心ダボを収容することができる、又は固定要素、特に拡張ダボ及び／又は偏心ダボが収容されていること、が企図され得る。これにより、背壁側部には、通常の形式で本体側壁を、非常に容易に取り付けることができる。
【００１３】
特に好ましい実施形態によれば、家具システムは、少なくとも１つの背壁の両方の長手方向側部に対して、１つの背壁側部を各々有する。次に、背壁から離れて面する、長手方向側部の長手方向細幅部には、本体側壁が、それぞれ配置されている、及び／又は取り付けられている。加えて、両方の本体側壁は、垂直方向に延在する方向での両方の本体側壁の上部領域において、本体上部部分と、及び垂直方向に延在する方向での両方の本体側壁の下部領域において、本体下部部分と、接合されていることを企図し得る。従って、保管要素が前面からアクセス可能である本体家具要素が生じる。代替的に、又は追加的に、両方の本体側壁の間には、本体前部分が取り付けられていることを企図することができる。これにより、出来上がる本体家具を前面からも閉じることもでき、従って、内容物をほこり且つ汚染物質から保護することができる。
【００１４】
本体部分の材料選択は任意である。好ましくは、少なくとも１つの本体側壁及び／又は本体前部分は、
ｉ）透明材料、特にガラスからなる、及び／又は、
ｉｉ）木材材料若しくは木材代替材料及び／又はプラスチック材料からなる、又はそれらを含む、
ことが企図され得る。当業者は、対応する環境に基づいて選択を行い、本発明による家具システムを、対応する環境に適合すべきである。
【００１５】
また、背壁及び／又は背壁側部は、木材材料又は木材代替材料、及び／又はプラスチック材料、及び／又は木材且つ石からなる複合材料からなるか、又はそれらを含むことが企図され得る。
【００１６】
ガラス部品を使用する場合、通常は、他の側面部品との結合のために、対応する溝部、例えばアルミニウム溝部のような金属溝部が使用され、この溝部にガラス部品が内設されているか、またはガラス部品が接合されている。家具壁システムは、背側部が、木および石から構成されている複合材料から成るか、又はこれらの材料を含む場合、特にエレガントに見える。
【００１７】
以下では、本発明が、図１〜図５に基づき、詳細に説明される。
【図面の簡単な説明】
【００１８】
【図１】本発明による例示的な家具システムの分解図を示す。
【図２】図１の拡大詳細図で示す。
【図３】本発明による家具システムの一部を斜視図で示す。
【図４】図３で示した部分を異なる斜視図で示す。
【図５】付加的な固定要素を有する、図３で示した部分の拡大詳細図を示す。
【発明を実施するための形態】
【００１９】
図１に記載されている本発明による家具システム１の実施形態では、垂直に調整され、互いに平行に配置されている、２つの組立レール１７を示す。好ましくは、しかし必ずしも必要ではないが、これらの組立レールは、背壁又は壁に固定され得るか、又は固定可能に形成され得る。
【００２０】
組立レール１７は、図２及び図５で示されているように、この組立レールの前面１７ｄに、組立レール１７の長手方向に相前後して配置されている複数の開口部１７ａを有する。保管要素１８，１９と接合された掛合部分１８ｂ，１９ｂは、開口部１７ａに掛合することができる。
【００２１】
組立レール１７には、基本的に垂直方向に延在する背壁１３が設けられている。この際、背壁１３の高さは、組立レール１７の長さにほぼ対応し、背壁１３の幅は、掛合部分１８ｂ，１９ｂのための開口１７ａがアクセス可能なままであるように組立レール１７を覆うように設計されている。この際、背壁１３は、組立レール１７に当接し得、又はこれら組立レール１７に固定され得る。好ましくは細長い形の背壁側部１６が、背壁１３の両方の長手方向細幅部に対して平行にそれぞれ配置されている。これらは、それぞれ、組立レール１７の内の１つに当接するか、又はその組立レール１７に固定されている。この際、両方の背壁側部１６は、図２に示すように、背壁１３の長手方向細幅部と背壁側部１６の長手方向細幅部との間に、間隙２０がそれぞれ形成されているように配置されている。背壁側部１６を有する背壁１３は、組立レール１７と共に、家具システム１の背側を構成する。
【００２２】
組立ての際、保管要素１８，１９の掛合部分１８ｂ，１９ｂは、スロット２０を通って組立レール１７の開口１７ａに掛合される。この際、保管要素１９は、掛合部分１９ｂを有する支持要素１９ａに配置されている棚床であり得る。保管領域を取り囲む本体を有する保管要素１８も考えられ、その際、この保管領域は、例えば、引き出し又はドアによって開くことができる。更に、保管要素１８，１９は、例えばキッチン器具のような技術的要素のための支持体であってもよい。
【００２３】
図３及び図４は、本発明による家具壁システム１の一部を示しており、この家具壁システム１の場合には、背側を、組立レール１７と、背壁１３と、背壁側部分１６とから構成する。種々の保管要素１８，１９が組立レールに掛合されている。固定部分２１は、背壁側部１６の長手方向延在部に対して横に配置されている。その際、背壁側部１６に、固定要素を収容することができる孔部が設けられている。この際、取付要素は、好ましくは、拡張ダボ及び／又は偏心ダボである。
【００２４】
これらの固定部分２１によって、図１に示されている本体側部１１，１２を、通常の形式で背壁側部１６に取り付けることができる。両方の本体側部分１１，１２は、上側領域において本体上部部分１４と接合され、及び下側領域において本体下側部分１５と接合される。家具壁システム１のここで図示された実施形態では、本体前部分１０を備え付ける。その際、本体前部分１０はドアとして実施されている。本体前部分１０を一体に実施する必要はなく、前部の一部のみをそのつど開くために、本体前部分１０として複数のドアを設けることも考えられ、本体前部分１０は引出し板部からも構成し得る、又は両方の混合でも構成し得る。
【００２５】
図５は、本発明による家具システム１の背側の上部分を示す。壁部（不図示）に取り付けられている組立レール１７、又は単に背壁１３と背壁側部１６を接合する組立レール１７は、前側部１７ｄに、組立レール１７の長手方向に相前後して配置されている複数の開口部１７ａを有する。この開口部１７ａには、保管要素１８，１９の掛合部分１８ｂ，１９ｂを掛合することができる。側部１７ｂ，１７ｃには、複数の保持要素が、２列でそれぞれ配置されている；この保持要素は、好ましくは、背壁１３に、又は背壁側部１６に配置されている固定要素２２，２３を固定するために利用されるねじ穴部である。背壁１３においては、固定時に下方への滑りを回避するのみ必要である。固定要素２３（ここは例として、固定アングルとして実施されている）は、組立レール１７での支持によって横方向の変位を防止する一方で、保管要素１８，１９は、背壁を、奥行き方向で組立レール１７に固定する。従って、好ましい実施形態によれば、側部１７ｂ，１７ｃに当接した固定要素２３の部分には、組立中、保持要素にスナップ嵌合し、したがって背壁１３が滑り落ちるのを防止する突起部を設けることが可能である。これは、組立中、固定要素２３が、背側１３の上側縁部１３に構成されている壁との間隙を介してのみ組立工具によってアクセス可能であるという点で有利である。
【００２６】
背壁側部１６は２つの組立レール１７の間でクランプすることができないので、固定要素２２が、組立レール１７の側部１７ｂ，１７ｃの保持要素とねじ接合することが望ましい。
【００２７】
本発明による家具システム１は、非常に柔軟に設計することができ、従って、使用時の多様性の幅を広げ、それによって、既存の環境に、外観上うまく合わせることができる。
【図１】
2021529575.tif 000003
【図２】
2021529575.tif 000004
【図３】
2021529575.tif 000005
【図４】
2021529575.tif 000006
【図５】
2021529575.tif 000007
【国際調査報告】
2021529575.tif 000008
2021529575.tif 000009
2021529575.tif 000010
2021529575.tif 000011
2021529575.tif 000012